(57)【要約】      （修正有）【課題】音声通信会議等において、会議終了後、記憶したメモリ−カ−ドを出席者に配付のためのダビング操作等の事務処理が必要なく、また、外部マイクロホン使用に際し、マイクロホン外部への音声漏洩を防ぐことが可能な録音装置を提供する。【解決手段】マイクロホン及びタップそれぞれにＰＣを取り付け、携帯電話の要領で、音声コ−ド、イヤホンコ−ドによりＰＣへアクセス可能であり、また内蔵マイクの取り付け位置を考慮する事、遮音目的のフェンスを取り付ける事により音声漏洩を防止する。【選択図】図３
2012227902.tif 000002
【特許請求の範囲】
【請求項１】
発した音声をマイクロホン内部だけを通過させるという、外部マイクロホン使用による、音声漏洩防止を目的とする装置の発明である。
【請求項２】
マイクロホン及びタップそれぞれにＰＣを取り付けた装置の発明である。
【請求項３】
イヤホンコ−ド及び音声コ−ドにより、ＰＣからＰＣへアクセスする装置の発明であり、特に、タップのＰＣからイヤホンコ−ドを通る音声をマイクロホンのＰＣへアクセスさせるという装置の発明である。
【請求項４】
ＰＣを付したタップを音声の集積ステ−ションと考え、携帯電話のような役割を与えた装置の発明である。
【請求項５】
マイクロホン及びタップそれぞれのＰＣを、音声用及びイヤホンコ−ドで連係する事により、会議終了後即、出席者各自に記憶したメモリ−カ−ドの入手を可能にした装置の発明である。
【請求項６】
発した音声を明瞭に伝えるために、マイクロホン内部での内蔵マイク取り付け位置に考慮した装置の発明である。
【請求項７】
発した音声を明瞭に伝える事を目的として、マイクロホン内部にフェンスを取り付けた装置である。取り付け位置は、内蔵マイク後に近接したところとする。またフェンスの素材は速乾、防湿、防音、吸音素材、または同素材により被膜を施したものを取り付けた装置の発明である。
【発明の詳細な説明】
【技術分野】
【０００１】  マイクロホン本体及びタップそれぞれにＰＣを取り付ける事により、音声通信会議等において、会議終了後即、出席者各自が記憶したメモリ−カ−ドを入手できる事。
また、発した音声が、外部マイクロホンから漏洩する事を防ぐ目的とするため、声の通過をマイクロホン内部に限る事になる。これに対策を考える事により、発した音声が明瞭に伝わるように考慮した、マイクロホン及びタップによる録音装置である。
【背景技術】
【０００２】  従来の外部マイクロホン及びタップには、ＰＣが取り付けられていなかった。
また、マイクロホンの使用は音声の拡大を目的とするものであった。その目的のために外部マイクロホン等が使用されていたが、発した音声の通過はマイクロホン内部に限られるものではなかった。【０００３】  以下、従来品の録音装置の構成について説明する。
マイクロホン本体は、軽量の速乾、防湿、防音、吸音素材による構成であり、また内部に同素材による被膜処理を施したものである。
口に当てる部分には、唇周辺を被う形で伸縮、粘着素材のものを付し、発言時に密着させて使用する。
水滴対策として紙コップ状のものの使用が考えられていた。
発言時のシグナルを取り付ける。
録音はタップとＩＣレコ−ダ−の連結により行い、これを音声の集積ステ−ションとして扱う。
イヤホンコ−ドと音声コ−ドを一体化状にしてマイクロホンとタップを結ぶという構成であった。
【先行技術文献】
【０００４】  以上、従来の外部マイクロホン及びタップ使用の録音装置については、素材、容器ともに該当する文献は存在する。
【発明の概要】
【発明が解決しようとする課題】
【０００５】  以上に述べた従来の装置では、会議等終了時に、出席者各自への記憶したメモリ−カ−ド配付には、ダビング等の事務処理を必要とした。
また、マイクロホン本体から外部への漏洩防止を含む音声漏洩防止を目的とするため、発した声の音声が不明瞭となる懸念が予測される装置であった。【０００６】  本発明は、従来の音声通信会議等での、マイクロホン及びタップ、ＩＣレコ−ダ−による録音装置の構成が有する問題を解決しようとするものであり、会議終了後即、出席者各自が、記憶したメモリ−カ−ドの所有を可能にする事、また、発した声が、マイクロホン本体からの漏洩も含め、外部へ漏洩する事なく明瞭に伝わる事を目的とする発明である。
【課題を解決するための手段】
【０００７】  本発明は、上記目的を達成するために、マイクロホン及びタップそれぞれにＰＣを取り付け、携帯電話の要領で各ＰＣにアクセスする装置である。【０００８】  明瞭な音声を伝えるために、マイクロホンへの内蔵マイク取り付け位置に考慮する。【０００９】  内蔵マイクに近接してフェンスを取り付ける。フェンスの素材としては、速乾、防湿、防音、吸音のもの、または同素材による被膜処理を施したものとする。
【図面の簡単な説明】
【００１０】
【図１】  マイクロホン（ＰＣ、内蔵マイク付）本体の図、
【図２】  タップ（ＰＣ付）の図、
【図３】  上記装置使用による音声の流れを示す図、
【符号の説明】
【００１１】  ［図３］に関するものである。
１  発言者                        ２  出席者
３  マイクロホン                  ４  マイクロホンのＰＣ
５  マイクロホンの内蔵マイク      ６  スイッチ
７  シグナル                      ８  タップ
９  タップに付したＰＣ            １０  一体化状コ−ド
１１  イヤホンコ−ド              １２  音声用コ−ド
１３  マイクロホン内部のフェンス
【図１】
2012227902.tif 000003
【図２】
2012227902.tif 000004
【図３】
2012227902.tif 000005
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
外部マイクロホン本体にパ−ソナルコンピュ−タ−（以下、ＰＣと記す）機能を取り付け、更にタップとＩＣレコ−ダ−を一体化してＰＣを取り付け、これに携帯電話のような機能を与えた録音装置である。
【請求項２】
会議終了後即、出席者各自が、記憶したメモリ−カ−ドを入手できる録音装置である。
【請求項３】
イヤホンコ−ド及び音声用コ−ド利用により、ＰＣからＰＣへアクセスする事により録音する装置であり、タップのＰＣからマイクロホンのＰＣへはイヤホンコ−ドによりアクセスする録音装置である。
【請求項４】
ＰＣを付したタップを音声の集積ステ−ションと考え、携帯電話のような機能を与える。これにより、（イ）従来の録音方法（ロ）携帯電話の要領で、会議等への参加に幅広く対応できる録音装置である。
【請求項５】
発した音声の漏洩防止目的に使用する際、マイクロホン本体からの音声漏洩を防止するためには、発した音声はマイクロホン本体内部の通過に限られる。このため、伝わる音声が不明瞭となる懸念がある。これを防ぐために、内蔵マイクの取り付け位置に考慮したマイクロホン使用の録音装置である。
【請求項６】
明瞭な音声を伝えるために、内蔵マイクに近接して、音声出口側にフェンスを取り付ける。フェンスの素材は速乾、防湿、防音、吸音素材のもの、もしくは、同素材により被膜したものとする。この素材使用のフェンスを取り付けたマイクロホン使用の録音装置である。
【請求項７】
「音声会議等」の「等」に該当する一例として、従来のマイクロホン機能にも適合するマイクロホン使用の録音装置である。
【手続補正３】
【補正対象書類名】明細書
【補正対象項目名】０００７
【補正方法】変更
【補正の内容】
【０００７】  「本発明は、上記目的を達成するために、マイクロホン及びタップそれぞれにＰＣを取り付け、携帯電話の要領で各ＰＣにアクセスする装置である」
本発明は、上記目的を達成するために、マイクロホン及びタップそれぞれにＰＣを取り付け、携帯電話の要領で各ＰＣにアクセスする装置である。録音方法としては、次の方法が考えられる。すなわち、タップを音声の集積ステ−ションと考えて、（イ）従来と同様の録音方法（ロ）携帯電話の要領でアクセスする方法である。（ロ）の場合、会議等への、外部からの幅広い参加も考えられる。
【手続補正４】
【補正対象書類名】図面
【補正対象項目名】図１
【補正方法】変更
【補正の内容】
【図１】
2012227902.tif 000006
【手続補正５】
【補正対象書類名】図面
【補正対象項目名】図３
【補正方法】変更
【補正の内容】
【図３】
2012227902.tif 000007
【手続補正６】
【補正対象書類名】図面
【補正対象項目名】図４
【補正方法】追加
【補正の内容】
【図４】
2012227902.tif 000008
【手続補正書】
【提出日】平成23年5月19日(2011.5.19)
【手続補正１】
【補正対象書類名】特許請求の範囲
【補正対象項目名】請求項２
【補正方法】変更
【補正の内容】
【請求項２】
携帯電話機能使用の方法として、請求項７に関連して、口周辺の密着部分及び音声出口部分の取り外し可能と同様、内蔵マイクからの音声コ−ド取り外しを可とする事により、ワイヤレスマイクとして使用可能なマイクロホン使用の録音装置である。
【手続補正２】
【補正対象書類名】明細書
【補正対象項目名】０００７
【補正方法】変更
【補正の内容】
【０００７】  本発明は、上記目的を達成するために、マイクロホン及びタップそれぞれにＰＣを取り付け、携帯電話の要領で各ＰＣにアクセスする装置である。録音方法としては、次の方法が考えられる。即ち、タップを音声の集積ステ−ションと考えて、（イ）従来と同様の録音方法（ロ）携帯電話の要領でアクセスする方法である。（ロ）の場合、アクセスには次の方法が考えられる。内蔵マイクからの音声コ−ド取り外しを可能に、またイヤホンコ−ドについても一部分を残して取り外し可能とする。即ち携帯電話機能利用によるアクセス方法である。これにより、会議等への外部からの幅広い参加にも対応できる事となる。
【手続補正３】
【補正対象書類名】明細書
【補正対象項目名】００１０
【補正方法】変更
【補正の内容】
【００１０】
【図１】  マイクロホン（ＰＣ、内蔵マイク付）本体の図
【図２】  タップ（ＰＣ付）の図
【図３】  上記装置使用による音声の流れを示す図」
【図４】  ＰＣ付マイクロホンとタップ、及び携帯電話機能を有する録音装置において、口周辺密着部分及び音声出口部分を取り外す事により、またコ−ドについては、イヤホンコ−ドのうち、実線により示される部分を残し、点線により示される音声及びイヤホンコ−ドを取り外して、ワイヤレスマイクとして使用時の説明図である。
【図５】  マイクロホン本体の口周辺密着部分及び音声出口部分について、取り外し方法の一例を示す説明図である。
【手続補正４】
【補正対象書類名】図面
【補正対象項目名】図４
【補正方法】変更
【補正の内容】
【図４】
2012227902.tif 000009
【手続補正５】
【補正対象書類名】図面
【補正対象項目名】図５
【補正方法】追加
【補正の内容】
【図５】
2012227902.tif 000010
【手続補正書】
【提出日】平成23年5月30日(2011.5.30)
【手続補正１】
【補正対象書類名】特許請求の範囲
【補正対象項目名】請求項３
【補正方法】変更
【補正の内容】
【請求項３】
「イヤホンコード及び音声コードにより、ＰＣからＰＣへアクセスする装置の発明であり、特に、タップのＰＣからイヤホンコードを通る音声をマイクロホンのＰＣへアクセスさせるという装置の発明である」
コードについては、電磁波漏れ防止のため、必要な部分については、そのための措置を施した、例ケーブル等を使用した録音装置の発明である。以下、表記［コード］については同様の考え方とする。
【手続補正２】
【補正対象書類名】明細書
【補正対象項目名】０００７
【補正方法】変更
【補正の内容】
【０００７】イヤホン及び音声コードに関しては、電磁波漏れ対策のため、例ケーブル等の使用によりアクセスする装置である。
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
外部マイクロホン本体、及びＩＣレコーダーと一体化したタップに、パーソナルコンピューター（以下、ＰＣと記す）機能、携帯電話機能を付した録音装置である。
【請求項２】
ＰＣを付したタップを音声の集積ステーションと考え、携帯電話機能を付す事により、（イ）従来の録音方法としての利用、（ロ）携帯電話機能の利用により会議等への幅広い参加への利用可能な録音装置である。
この装置においての信号の伝え方は、音声用ジャック、イヤホンジャックをケーブル等で連係する事によるものであり、特にタップＰＣからマイクロホンＰＣへのイヤホンジャックを結ぶ送信は、マイクロホンＰＣへの指令としてアクセスするという録音装置である。
【請求項３】
発した音声の通路が外部マイクロホン内部のみに限られる場合、明瞭な音声を伝えるために、内蔵マイクの取り付け位置を次のように決める。即ち、音波の増幅作用による影響を避けるため、音声が外部マイクロホンに達してすぐの位置とする。また、内蔵マイクに近接して音声出口側にフェンスを取り付ける。フェンスの素材としては、速乾、防湿、防音、吸音のもの、又は同素材により被膜したものとする。